(57)【要約】【課題】  暖房端末からの信号線の接続のために、余分な別部品や識別等の負担を必要とすることなく、信号線接続を容易に行い得る暖房熱源機を提供する。【解決手段】  外装ケース２０の底面から熱動弁２６１〜２６３内蔵の接続口を下向きに突出させて配列する。電装基板２５に対し、接続端子用基板部２５３を制御基板部２５１や電源基板部２５２とは別にして、しかも着脱可能に設ける。接続端子用基板部に、速結型の接続端子台を熱動弁の上側位置に位置するように配列させ、各接続端子台と下側の熱動弁の制御回路部分とを対応付ける。ある暖房端末の温水往き管の上流端をある熱動弁に接続した場合、その暖房端末の信号線を既接続の熱動弁の上側位置にある接続端子台に接続すれば、信号線を確実に対応する熱動弁の作動制御に係る部分に電気的接続させ得る。【選択図】      図２
2008175418.tif 000002
【特許請求の範囲】
【請求項１】
暖房熱源としての温水を２以上の暖房端末に対しその暖房端末毎に個別に循環供給するための２以上の端末開閉弁と、上記２以上の暖房端末の側から延ばされた信号線をその暖房端末に対応して個別に接続するための２以上の接続端子とを備えた暖房熱源機であって、
上記２以上の端末開閉弁毎に下流側に形成される接続口が外装ケースの底面において外部に臨んで横幅方向に並んで配列される一方、上記２以上の接続端子が上記外装ケースの底面近傍の内部において上記各接続口と対をなすように接続口毎にその上側位置に配設されて上記２以上の接続口と同様に横幅方向に並んで配列されている
ことを特徴とする暖房熱源機。
【請求項２】
請求項１に記載の暖房熱源機であって、
上記各接続口は外部空間に対し下向きに突出する一方、上記各接続端子は外装ケースの前面に対する保護カバーを外すことにより前方に臨んで露出するように配設されている、暖房熱源機。
【請求項３】
請求項１又は請求項２に記載の暖房熱源機であって、
上記外装ケース内に配設された電装基板を備え、この電装基板は上記２以上の端末開閉弁の作動制御を行うための制御回路を含む制御基板部と、上記２以上の接続端子が実装された接続端子用基板部との少なくとも２つの基板部に分けて構成され、かつ、上記接続端子用基板部は電装基板から独立して着脱可能に構成されている、暖房熱源機。
【請求項４】
請求項１〜請求項３のいずれかに記載の暖房熱源機であって、
上記信号線は互いに異なる色に色分けされた２以上の心線により構成され、上記各接続端子は上記各心線が接続されることになる各部分が接続対象の心線の色と対応する色に着色されている、暖房熱源機。
【請求項５】
請求項１〜請求項４のいずれかに記載の暖房熱源機であって、
上記接続端子は速結型の端子により構成されている、暖房熱源機。
【発明の詳細な説明】
【技術分野】
【０００１】
本発明は、２以上の暖房端末に対し暖房熱源用の温水を循環供給させる暖房熱源機に関し、詳しくは、各暖房端末からの制御用信号線を暖房熱源機に対し接続する際にその接続作業の容易化・確実化を図るための技術に係る。
【背景技術】
【０００２】
従来、暖房用のボイラーと、このボイラーから放熱器に対し熱媒体を循環させるための管路とを接続する技術として、ボイラーのケーシングの上面に往き側及び戻り側の両ヘッダをそれらの接続口が背面側に向いた状態で並列させることにより、管路端部とボイラー側の接続口との接続作業を窮屈な前屈み姿勢を取ることなく行えるようにしたものが知られている（例えば特許文献１参照）。
【０００３】
又、給湯器の分野において、給湯器に対し電源線やリモコンからの信号線を接続するために、給湯器の本体ケースの外面にコネクタピンを外方に突出した状態の接続端子を設けておくようにしたものも知られている（例えば特許文献２参照）。
【０００４】
さらに、電気的接続をネジ無しで行い得るようにした速結型端子も知られている（例えば特許文献３参照）。
【０００５】
【特許文献１】実用新案登録第３１１２４８２号公報
【特許文献２】特開平６−１３７６８４号公報
【特許文献３】特許第３５８７４１１号公報
【発明の開示】
【発明が解決しようとする課題】
【０００６】
ところで、暖房熱源機を設置するには、暖房熱源機と、この暖房熱源機から温水の循環供給を受ける暖房端末との間を温水循環用の配管で接続すると共に、各暖房端末側でＯＮ・ＯＦＦ切換操作等を行うための制御機器（端末リモコン）を暖房熱源機内のコントローラに接続するために、上記端末リモコンから延ばした信号線を暖房熱源機内のコントローラに接続する必要がある。そして、この信号線の接続作業において、従来は別部品（後述の中継線等）が必要になったり、接続作業等の配線工事において対応関係について識別を繰り返す必要があったりするというように作業性に欠けるという問題を含んでいる。
【０００７】
すなわち、上記の信号線の接続作業について、従来行われている例を図６に基づいて説明すると、暖房熱源機１００を所定位置に固定した後、まず、前カバー（図示省略）を外して電装基板１０１を外部に露出させる。次に、一つ目の暖房端末（例えば床暖房放熱器）１０２からの温水往き管１０３及び温水戻り管１０４と共に端末リモコン１０５からの信号線１０６を暖房熱源機１００まで延ばして配管・配線する。温水往き管１０３の上流端接続部を暖房熱源機１００の外装ケース１０７の下壁１０８から下向きに突出し第１熱動弁１０９が付設された接続口１１０に接続すると共に、温水戻り管１０４の下流端を戻り側ヘッダ１１１のいずれかの接続口に接続する。併せて、３心線により構成された信号線１０６を外装ケース１０８の挿通口１１２から内部に引き入れ、この信号線１０６の先端と電装基板１０１の接続端子１１３とを中継線１１４を介して間接的に接続する。信号線１０６を構成する３心線は通常は赤、白、黒の３色の外皮を有する３本１組で１本のコードとされ、中継線１１４も同様に３心線のコードで構成されている。
【０００８】
図例では第１熱動弁〜第６熱動弁までの６つの接続口（図６の１〜６の数字参照）を有して６つの暖房端末１０２，…に対し温水を個別に分岐供給可能とされた暖房熱源機１００が示されており、第１熱動弁〜第６熱動弁をそれぞれ開閉作動させるための６本の作動信号線１１５，…が第１熱動弁〜第６熱動弁と電装基板１０１の対応する接続端子１１６との間に接続されている。従って、上記の一つ目の暖房端末１０２の温水往き管１０３が第１熱動弁１０９の接続口１１０に接続されているのであれば、この第１熱動弁１０９を開閉することにより暖房端末１０２の暖房作動をＯＮ・ＯＦＦ切換させるための信号線１０６は電装基板１０１上の第１熱動弁１０９と対応する接続端子１１３に接続する必要がある。このため、一つ目の暖房端末１０２を第１熱動弁１０９の接続口１１０に、二つ目の暖房端末（図示省略）を第２熱動弁１１７の接続口１１８に、…というように配管を順次接続しつつ、それぞれの暖房端末からの信号線を対応する接続端子に接続させるために、第１〜第６熱動弁に割り当てた６種類の色の違いによって識別させるようにしている。つまり、第１〜第６熱動弁に対し例えば青、灰、黄、橙、紫、桃というように６色の色を割り当てて識別することとし、中継線１１４，…の３心線を赤、黒の２色の他に信号線１０６，…の白色心線に対応する心線が上記の青、灰、黄、橙、紫、桃の内の１色の外皮を有するようにして、どの熱動弁に対応する中継線であるかを区別するようにしている。要するに、第１〜第６熱動弁というように６つあれば、中継線は６本用意され、それぞれの中継線１１４の２つの心線１１９，１２０は赤と黒の外皮で共通であるが他の１つの識別用の心線１２１が青のもの、灰のもの、黄のもの、橙のもの、紫のもの、桃のものというように６本のコードが用意されている。
【０００９】
そして、一つ目の暖房端末１０２はその温水往き管１０３が第１熱動弁１０９に接続されているため、第１熱動弁１０９に割り当てられた青色を目印にして第１熱動弁１０９に対応する赤、黒、青の中継線１１４を用いて信号線１０６の接続作業を行う。接続作業は、信号線１０６と中継線１１４の一端側とについて赤色心線同士を圧着端子で接続し、黒色心線同士を突き合わせた状態で管状圧着端子により接続し、信号線の白色心線と中継線の青色心線とを圧着端子で接続する。そして、中継線１１４の他端のコネクタ１２２を識別用心線の青色を目印にして第１熱動弁１０９に対応する信号線用の第１接続端子１１３に嵌合させて接続する。以下、図示を省略するが、二つ目の暖房端末の温水往き管を第２熱動弁１１７の接続口１１８に接続したら、その暖房端末の端末リモコンからの信号線を外装ケース１０８内に引き込んで、第２熱動弁１１７に対応する赤、黒、灰の中継線を用いて第２熱動弁１１７に対応する信号線用の第２接続端子１２３に接続する。
【００１０】
このような中継線を用いて、その色の違いで第１〜第６熱動弁のいずれに接続されている暖房端末からの信号線かを識別させるようにしているのは、機器設置後、メンテナンス時に電装基板１０１の交換を行う場合に、交換のために接続を外した複数組の信号線及び中継線を新しい電装基板に再度接続することになっても、交換後の電装基板の第１〜第６熱動弁に対応する接続端子に確実に接続復元させ得るようにするためである。
【００１１】
以上のように、暖房熱源機内の電装基板と、複数の暖房端末側からの信号線との接続作業は、色分けにより識別させるようにした特別な中継線を別途必要とする上に、その中継線を介在させた接続作業により作業者に識別及び対応関係の把握を繰り返させたり余分な手間を必要とさせたりというように作業性に欠けるものであり、この改善が要請されていた。
【００１２】
本発明は、このような事情に鑑みてなされたものであり、その目的とするところは、暖房端末からの信号線の接続のために余分な別部品や、識別等の余分な負担を必要とすることなく、接続の対応関係を明確にして信号線接続を容易に行い得る暖房熱源機を提供することにある。
【課題を解決するための手段】
【００１３】
上記目的を達成するために、本発明では、暖房熱源としての温水を２以上の暖房端末に対しその暖房端末毎に個別に循環供給するための２以上の端末開閉弁と、上記２以上の暖房端末の側から延ばされた信号線をその暖房端末に対応して個別に接続するための２以上の接続端子とを備えた暖房熱源機を対象にして、次の特定事項を備えるようにした。すなわち、上記２以上の端末開閉弁毎に下流側に形成される接続口を外装ケースの底面において外部に臨んで横幅方向に並んで配列させる一方、上記２以上の接続端子を上記外装ケースの底面近傍の内部において上記各接続口と対をなすように接続口毎にその上側位置に配設させて上記２以上の接続口と同様に横幅方向に並んで配列させることとした（請求項１）。
【００１４】
本発明の場合、各接続口の上側位置に接続端子が接続口毎に配設されているため、ある暖房端末への温水の循環供給のための配管をある接続口に接続したら、その暖房端末からの信号線をその接続口の上側位置の接続端子に接続することにより、暖房熱源機に対しその暖房端末への温水供給・停止が切換えられる端末開閉弁と、この端末開閉弁の作動制御についての制御信号が入力される信号線を接続する対象である接続端子とを確実に対応付けることが可能になる。このため、暖房熱源機に対する暖房端末の連結・接続作業において、その暖房端末からの信号線接続対応関係が明確になり、従来の如く作業者に識別等の余分な負担を強いることなく、信号線の接続作業を容易に行い得ることになる。
【００１５】
本発明においては、上記各接続口を外部空間に対し下向きに突出させる一方、上記各接続端子を外装ケースの前面に対する保護カバーを外すことにより前方に臨んで露出するように配設させることもできる（請求項２）。このようにすることにより、暖房熱源機に対する暖房端末の連結・接続作業が容易になる。すなわち、温水供給のための配管接続を接続口に対し下から上に嵌合させる作業にて行い得る一方、信号線の接続作業を暖房熱源機の正面位置から行い得ることになり、配管接続と配線接続との双方の作業の容易化が図られることになる。
【００１６】
又、上記外装ケース内に配設された電装基板を備えるようにし、この電装基板を上記２以上の端末開閉弁の作動制御を行うための制御回路を含む制御基板部と、上記２以上の接続端子が実装された接続端子用基板部との少なくとも２つの基板部に分けて構成し、かつ、上記接続端子用基板部を電装基板から独立して着脱可能に構成することもできる（請求項３）。このようにすることにより、使用に供された後のメンテナンスにおいて、制御回路の交換が必要になった場合であっても、信号線が既接続状態の接続端子用基板部を取り外した状態で電装基板を交換し、交換後の電装基板に対し接続端子用基板部を取り付けるようにすれば、面倒な信号線の接続作業を繰り返すことなく省略することが可能になる上に、再度接続作業を行うことによる誤接続のおそれを完全に解消させることも可能になる。
【００１７】
さらに、上記信号線が互いに異なる色に色分けされた２以上の心線により構成され、上記各接続端子として上記各心線が接続されることになる各部分を接続対象の心線の色と対応する色に着色された構成を採用することもできる（請求項４）。このようにすることにより、心線毎に接続作業を行う場合であっても、同色同士で接続させれば容易に正しい接続対象への接続作業が完了することになる。
【００１８】
そして、以上の接続端子として速結型の端子により構成することにより（請求項５）、より一層の接続作業の容易化が図られることになる。
【発明の効果】
【００１９】
以上、説明したように、本発明の暖房熱源機によれば、各接続口の上側位置に接続端子を接続口毎に配設しているため、ある暖房端末への温水の循環供給のための配管をある接続口に接続したら、その暖房端末からの信号線をその接続口の上側位置の接続端子に接続させることにより、暖房熱源機に対しその暖房端末への温水供給・停止が切換えられる端末開閉弁と、この端末開閉弁の作動制御についての制御信号が入力される信号線を接続する対象である接続端子とを確実に対応付けることができるようになる。このため、暖房熱源機に対する暖房端末の連結・接続作業において、その暖房端末からの信号線接続対応関係を一目で把握することができるように明確にして、従来の如く作業者に識別等の余分な負担を強いることなく、信号線の接続作業を容易に行うことができるようになる。
【００２０】
特に、請求項２によれば、暖房熱源機に対する暖房端末の連結・接続作業として、温水供給のための配管接続を接続口に対し下から上に嵌合させる作業にて行うことができる一方、信号線の接続作業を暖房熱源機の正面位置から行うことができるようになり、配管接続と配線接続との双方の作業の容易化を図ることができるようになる。
【００２１】
請求項３によれば、使用に供された後のメンテナンスにおいて、制御回路の交換が必要になった場合であっても、信号線が既接続状態の接続端子用基板部を取り外した状態で電装基板を交換し、交換後の電装基板に対し接続端子用基板部を取り付けるようにすれば、面倒な信号線の接続作業を繰り返すことなく省力化を図ることができる上に、再度接続作業を行うことによる誤接続のおそれを完全に解消させることができる。
【００２２】
請求項４によれば、心線毎に接続作業を行う場合であっても、同色同士で接続させれば容易に正しい接続対象への接続作業を完了させることができるようになる。
【００２３】
請求項５によれば、より一層の接続作業の容易化を図ることができるようになる。
【発明を実施するための最良の形態】
【００２４】
以下、本発明の実施形態を図面に基づいて説明する。
【００２５】
図１は、本発明の第１実施形態に係る暖房熱源機の作動原理図を示す。なお、図１の作動原理図は配置そのものを正確に図示したものではなくて接続関係等を原理的に示すものである。この暖房熱源機２は、膨張タンク２１と、循環ポンプ２２と、燃料の供給を受けて燃焼される燃焼バーナ２３と、燃焼バーナ２３の燃焼熱により熱交換加熱される熱交換器２４と、コントローラを構成する電装基板２５とが外装ケース２０内に収容されたものである。そして、外装ケース２０の底面には、低温側の複数（図例では３つ）の暖房端末（例えば床暖房放熱器等）３１，３２，３３へ温水を個別にかつ選択的に循環供給するための端末開閉弁である複数（図例では３つ）の熱動弁２６１，２６２，２６３を個別に内蔵する分岐供給用の接続部としての往き側３Ｐヘッダ２６と、高温側の暖房端末（例えば浴室乾燥機等）３４，３５へ温水を循環供給するための往き側分岐接続部２７と、各暖房端末３１〜３５から放熱後に低温となって戻される温水を複数の接続口で受け入れて合流させる戻り側ヘッダ２８とが、それぞれ外部に露出した状態で配設されている。
【００２６】
上記熱交換器２４で所定の高温に加熱された温水は、高温往き路２９１を通して上記分岐接続部２７に供給される一方、途中で分岐したバイパス路２９２を通して膨張タンク２１に戻ることも可能とされている。又、上記戻り側ヘッダ２８やバイパス路２９２から膨張タンク２１に戻された温水は、循環ポンプ２２の作動により低温戻り路２９３を通して熱交換器２４に戻される一方、低温往き路２９４を通して往き側３Ｐヘッダ２６に供給されるようになっている。
【００２７】
そして、往き側３Ｐヘッダ２６の第１熱動弁２６１が介装された接続口に暖房端末３１の温水往き管３１１の上流端が接続される一方、その暖房端末３１からの温水戻り管３１２の下流端が戻り側ヘッダ２８のいずれかの接続口に接続されている。同様に、第２熱動弁２６２が介装された接続口に暖房端末３２の温水往き管３２１の上流端が接続される一方、その暖房端末３２からの温水戻り管３２２の下流端が戻り側ヘッダ２８のいずれかの接続口に接続され、第３熱動弁２６３が介装された接続口に暖房端末３３の温水往き管３３１の上流端が接続される一方、その暖房端末３３からの温水戻り管３３２の下流端が戻り側ヘッダ２８のいずれかの接続口に接続されている。又、上記往き側分岐接続部２７に対し暖房端末３４の温水往き管３４１の上流端が接続される一方、その暖房端末３４からの温水戻り管３４２の下流端が戻り側ヘッダ２８のいずれかの接続口に接続され、同様に暖房端末３５の温水往き管３５１の上流端が接続される一方、その暖房端末３５からの温水戻り管３５２の下流端が戻り側ヘッダ２８のいずれかの接続口に接続されている。さらに、低温側の暖房端末３１，３２，３３の側に設置された端末リモコン３１３，３２３，３３３から信号線３１４，３２４，３３４が暖房熱源機２まで延びるように配線されて電装基板２５に接続されている。同様に、高温側の暖房端末３４，３５の側に設置された端末リモコン３４３，３５３から信号線３４４，３５４が暖房熱源機２まで延びるように配線されて電装基板２５に接続されている。上記の信号線３１４，３２４，３３４，３４４，３５４はそれぞれ赤、黒、白に外皮が色分けされた３心線により構成されている。
【００２８】
次に、上記の往き側３Ｐヘッダ２６等や、電装基板２５の具体的な配置・構成について図２，図３を参照しつつ説明する。暖房熱源機２を構成する外装ケース２０は前面が開口され、この前面開口に対し保護カバーとしての前面カバー２０ａが着脱可能に取り付けられている。外装ケース２０内の底部近傍には電装基板２５が設置されている一方、低温用の往き側３Ｐヘッダ２６、高温用の分岐接続部２７及び戻り側ヘッダ２８が、外装ケース２０を内外に貫通してそれぞれの接続口を底面２０１から下向きに突出させた状態で設けられている。同図中の符号２０２は外装ケース２０を内外に貫通する挿通孔であり、この挿通孔２０２を通して信号線３１４，３２４，３３４，３４４，３５４が外装ケース２０の内部に引き入れられるようになっている。
【００２９】
前面カバー２０ａを外すと、あるいは、前面カバー２０ａを外しさらに電装基板用の保護カバー（図示省略）を外すと、電装基板２５が内部の底部近傍位置において前方に臨んだ状態で設置され、この電装基板２５が前面に露出することになるようになっている。電装基板２５は、図３に示すように制御回路が実装された制御基板部２５１と、電源回路が実装された電源基板部２５２と、信号線３１４，３２４，３３４，３４４，３５４等の外部線を受け入れて電気的接続を行うための接続端子用基板部２５３と、これらの基板部２５１，２５２，２５３を装着・固定してユニット化する主基板枠２５４とから構成されている。この主基板枠２５４に対し少なくとも上記接続端子用基板部２５３は例えばネジ２５６又は凹凸係合等の手段を介して着脱可能とされ、図４(ａ)に示すように接続端子用基板部２５３を主基板枠２５４から他の基板部２５１，２５２とは分離独立して取り外したり取り付けたりし得るようにされている。制御基板部２５１には接続部２５５を介してメインリモコン２５０（図１参照）が接続され、又、接続基板部２５３との間の電気的接続のためのオス又はメスのコネクタ２５１ａが実装されている。そして、制御基板部２５１の熱動弁２６１〜２６３の作動制御に係る部分と、各熱動弁２６１〜２６３とは、各熱動弁２６１〜２６３に対し接続信号を送出し得るように予め接続されている。
【００３０】
上記接続基板部２５３は、基板２５７と、この基板２５７上に実装された所定数の接続端子台４１〜４５と、同じく基板２５７に実装されて接続端子台４１〜４５に導通接続されたオス又はメスのコネクタ２５３ａとを備えたものである。接続端子台４１〜４５はそれぞれネジ無し接続タイプの速結型端子台により構成され、その内、接続端子台４１〜４３は低温側暖房端末３１〜３３用にそれぞれ３心線分の速結端子を備え、接続端子台４４，４５は高温側暖房端末３４，３５用に３心線の内の２心線分の速結端子を備えて構成されている。これは低温側については信号線や暖房端末用電源のためのものが必要であるのに対し、高温側については暖房端末３４，３５に電源を取り込んでおり、信号線のみが必要となるためである。
【００３１】
接続端子台４１，４２，４３の構成をより具体的に説明すると、例えば図４(ｂ)に示すように、各接続端子台４１，…は信号線３１４，…を構成する３心線に対応して３つの速結端子４０１，４０２，４０３が組み合わされて１組のものに構成されている。さらに各接続端子台４１，…の速結端子４０１，４０２，４０３は、各速結端子４０１，４０２，４０３を構成する本体ハウジングの少なくとも外表面が信号線３１４，…を構成する３心線の各色に対応してそれらと同じ色に着色されている。すなわち、信号線３１４，…の赤色心線、白色心線及び黒色心線に対応して、速結端子４０１が赤色に、速結端子４０２が白色に、速結端子４０３が黒色にそれぞれ着色されている。かかる着色は形成素材である樹脂の色分けや、表面コーティング等の手段により行えばよい。又、各速結端子４０１，４０２，４０３は、先端外皮を剥いた状態の心線の先端を各速結端子４０１，４０２，４０３の挿入孔４０４，４０５，４０６に挿入すると、心線の先端を挟み込んで抜けないようロックがかかり、解除用の釦４０７，４０８，４０９を押すとロックが解除されて心線を抜くことができるようになっている。
【００３２】
又、少なくとも低温側暖房端末３１〜３３用の３つの接続端子台４１〜４３（図２参照）は、３Ｐヘッダ２６の３つの熱動弁２６１〜２６３内蔵の接続口の並び順及び配列（間隔）と同じ並び順でほぼ同じ配列（間隔）になるように基板２５７に実装されている。つまり、上記の熱動弁２６１〜２６３内蔵の接続口が外装ケース２０の横幅方向に順に並んで配列されているのに対応させて、各接続端子台４１〜４３が各接続口の上側位置で対をなすように配列されている。そして、電装基板２５（主基板枠２５４）の外装ケース２０内に対する固定位置が、上記の３つの接続端子台４１〜４３が、３つの熱動弁２６１〜２６３内蔵の接続口の上側位置において前面に臨む位置関係になるように設定されている。つまり、一つの熱動弁２６１，２６２又は２６３と、一つの接続端子台４１，４２又は４３とが上下各位置で対をなしているような位置関係で配設され、各熱動弁２６１，…内蔵の接続口は下向きに突出し、各接続端子台４１，…はその挿入孔４０４，…が前向きに開口した状態になるように配設されている。
【００３３】
接続端子用基板部２５３（図３参照）と、制御基板部２５１とは、両端にそれぞれオス又はメスのコネクタ５１，５２を備えた接続コード５を用いて接続されるようになっている。例えばコネクタ５１を制御基板部２５１のコネクタ２５１ａにオス・メス嵌合により接続し、コネクタ５２を接続端子用基板部２５３のコネクタ２５３ａにオス・メス嵌合により接続する。
【００３４】
そして、上記の１番目の接続端子台４１はその下側に位置する１番目の熱動弁２６１（図２参照）と対応付けられ、同様に、２番目の接続端子台４２は下側の２番目の熱動弁２６２と対応付けられ、３番目の接続端子台４３は下側の３番目の熱動弁２６３と対応付けられている。すなわち、例えば１番目の接続端子台４１は上記の接続コード５（図３参照）を介して制御基板部２５１上の熱動弁２６１の作動制御に係る部分と接続されるようになっている。
【００３５】
以上の暖房熱源機２を設置して各種の暖房端末３１等と連結させるには、まず、暖房熱源機２を所定の固定位置に設置した後に、その暖房熱源機２に対し暖房端末３１〜３５を順に連結・接続させていくことになる。例えば１番目の熱動弁２６１に対し暖房端末３１を連結・接続するには、図５に例を示すように、温水往き管３１１の上流端を熱動弁２６１内蔵の接続口に接続し、温水戻り管３１２を戻り側ヘッダ２８のいずれかの接続口に接続する。その一方、端末リモコン３１３から延びる信号線３１４を挿通孔２０２から外装ケース２０の内部に引き込み、その信号線３１４を上記の１番目の熱動弁２６１内蔵の接続口の上側に位置する接続端子４１に対し速結接続する。つまり、図４（ｂ）に示すように信号線３１４の各心線の先端を同色の速結端子４０１，４０２又は４０３の挿入孔４０４，４０５又は４０６内に差し込むことにより速結接続する。以後、順次、２番目の熱動弁２６２に対し温水往き管３２１を接続した暖房端末３２の信号線３２４をその熱動弁２６２の上側に位置する接続端子４２に接続し、３番目の熱動弁２６３に対し温水往き管３３１を接続した暖房端末３３の信号線３３４をその熱動弁２６３の上側に位置する接続端子４３に接続する。高温側暖房端末３４，３５の場合は、信号線３４４，３５４の３心線の内の赤色心線と白色心線のみを接続端子台４４，４５にそれぞれ接続し、黒色心線はその先端に圧着端子を取り付けるなどの処理を施した上で未接続のままに残しておく。以上で連結・接続を含んだ設置工事が完了する。
【００３６】
以上の場合、任意の熱動弁２６１，２６２又は２６３内蔵の接続口にどの暖房端末３１，３２又は３３からの温水往き管３１１，３２１又は３３１を接続したとしても、その接続した暖房端末３１，３２又は３３からの信号線３１４，３２４又は３３４を既接続の熱動弁２６１，２６２又は２６３の上側位置にある接続端子台４１，４２又は４３に接続すれば、その暖房端末３１，３２又は３３への温水供給・停止を実行する熱動弁２６１．２６２又は２６３と確実に対応した接続端子台４１，４２又は４３に対し信号線３１４，３２４又は３３４を接続させることができる。つまり、接続した熱動弁２６１，２６２又は２６３の上側位置にある接続端子台４１，４２又は４３を機械的に選択してこれに信号線３１４，３２４又は３３４を接続すればよいだけであるため、従来の如く色分けによりどの熱動弁に接続したものに係る信号線なのかを識別したり把握したりという余分な負担を強いることなく、接続作業を極めて容易に行うことができるようになる。しかも、上記の色分けによる識別・把握が不要であるため、従来の如き中継線１１４（図６参照）等の余分な別部品を不要にすることができる。このことは、外装ケース２０内の底部位置に接続端子台４１〜４５が配設されて、信号線３１４，…を外装ケース２０内に引き込んで直ぐに接続させることができるようになってことと併せて、信号線３１４，…の接続作業をより容易に行うことができるようになる。その際に、接続端子台４１〜４５が速結型のもので構成されているため単に挿入するだけという簡単な作業で接続させ得る上に、各接続端子台４１〜４５を構成する速結端子４０１，４０２，４０３が信号線３１４，…の各心線と同じ色分けに着色されているため、照合や識別を行うことなく同じ色の速結端子４０１，４０２又は４０３に接続すればよく、接続作業のより一層の容易化を図ることができる。
【００３７】
さらに、設置工事が完了して使用に供せられて所定期間が経過した後のメンテナンス時において、電装基板２５を取り外して新たな電装基板に交換する必要が生じた場合であっても、従来とは異なりその交換作業の大幅な容易化を図ることができるようになる。すなわち、従来であると、中継線１１４等を外して電装基板１０１を新たなものに交換し、新たな電装基板に対し上記の外した中継線１１４等を再度接続していく必要がある。その際に、中継線１１４の色分けによる識別や対応関係の把握という面倒な作業を接続作業者に再度強いたり誤配線のおそれを招いたりすることになる。これに対し、本実施形態の場合であると、電装基板２５から接続端子用基板部２５３を他の基板部２５１等と分離して取り外し、交換後の新たな電装基板に対し上記の取り外した接続端子用基板部２５３を取り付けるだけで済む。要するに、上記の取り外しは、接続端子用基板部２５３の各接続端子台４１〜４５に対し信号線３１４，…が接続されたままの状態で行い、この状態のまま接続端子用基板部２５３を交換後の電装基板に対し取り付ければよいため、信号線３１４，…の接続作業が不要となって大幅な省力化を得ることができる上に、誤配線のおそれを完全になくすことができる。
【００３８】
＜他の実施形態＞
なお、本発明は上記実施形態に限定されるものではなく、その他種々の実施形態を包含するものである。すなわち、上記実施形態では、接続端子用基板部２５３が主基板枠２５４に対し着脱可能に取り付けられている場合を示したが、例えば接続端子用基板部２５３を主基板枠２５４に対し取り付けられた取付状態と、前面カバー２０ａを外した状態で主基板枠２５４から前方手前位置又は前方斜め下方位置まで接続端子用基板部２５３の全体が外装カバー２０の前面開口から手前に飛び出した接続作業状態との間をスライド移動可能に設けるようにしてもよい。
【００３９】
あるいは、接続端子台４１〜４５を接続端子用基板部２５３に予め実装しておかずに、接続端子用基板部２５３に対し着脱可能とし、基板２５７から外せばハーネスを介して接続端子台が前方に引き出せるようにしておいてもよい。この場合は、接続環境に応じて信号線３１４，…との接続を前方に引き出した状態の接続端子台に対し行い、接続後にその接続端子台を基板２５７に取り付けるようにしてもよい。
【００４０】
上記実施形態では、暖房端末として低温側のものを３つ、高温側のものを２つの場合であって、低温側の３つに対応して熱動弁も３つ、低温側の暖房端末用の接続端子４１〜４３も３つの場合を示したが、かかる数に限定される訳ではなく、熱動弁の数と同数、つまり個別に開閉可能に温水を分岐供給させ得る数と同数の接続端子台を接続端子用基板部２５３に設けるようにすればよい。
【００４１】
又、速結端子４０１，４０２，４０３に対する着色の代わりに、文字又は記号の印字により各心線との接続対応関係を表示させるようにしてもよい。
【００４２】
外装ケース２０の前面に対する保護カバーとして前面カバー２０ａを示したが、これに限らず、前面カバー２０ａの内側にさらに電装基板２５又は接続端子用基板部２５３のための別の保護カバーを設けるようにしてもよい。
【図面の簡単な説明】
【００４３】
【図１】本発明の実施形態が適用される暖房熱源機を用いた温水暖房システムの作動原理図である。
【図２】実施形態の暖房熱源機の外観図と前面カバーを取り外した状態の部分拡大正面説明図である。
【図３】前面（正面）に向けて配設された電装基板の正面説明図である。
【図４】図４(ａ)は電装基板から接続端子用基板部を取り外した状態を示す説明図であり、図４（ｂ）は接続端子用基板部に実装された接続端子台の拡大斜視図である。
【図５】実施形態の暖房熱源機に対し暖房端末を連結・接続する手順を説明するために部分斜視図の状態で示す説明図である。
【図６】従来の暖房熱源機に対し暖房端末を連結・接続する手順を説明するために部分斜視図の状態で示す説明図である。
【符号の説明】
【００４４】
２          暖房熱源機
２０        外装ケース
２０ａ      前面カバー（保護カバー）
３１〜３３  暖房端末
４１〜４５  接続端子台（接続端子、速結型の端子）
２５１      制御基板部
２５３      接続端子用基板部
２６１〜２６３  熱動弁（端末開閉弁、端末開閉弁の下流側に形成される接続口）
４０１〜４０３  速結端子（接続端子の部分）
【図１】
2008175418.tif 000003
【図２】
2008175418.tif 000004
【図３】
2008175418.tif 000005
【図４】
2008175418.tif 000006
【図５】
2008175418.tif 000007
【図６】
2008175418.tif 000008